(57)【要約】【課題】外殻部であるカバーの外面部に、埃、汚れなどが溜まりにくくするカバー、灯具および照明装置を提供する。【解決手段】照明器具に装着される灯具であって、光源となる発光素子と、発光素子を覆い、照明器具に装着された状態において外部に露出した部分の外面部に対する法線の向きが、発光素子の光軸に沿う向きから光軸に直交する向きまでの範囲内となる外壁部を有する、透光性を有するカバーとを備えたものである。【選択図】図５
2019192541.tif 000002
【特許請求の範囲】
【請求項１】
照明器具に装着される灯具であって、
光源となる発光素子と、
該発光素子を覆い、前記照明器具に装着された状態において外部に露出した部分の外面部に対する法線の向きが、前記発光素子の光軸に沿う向きから前記光軸に直交する向きまでの範囲内となる外壁部を有する、透光性を有するカバーと
を備えた灯具。
【請求項２】
前記カバーは、
前記外面部の法線方向に張り出すように形成されたリブを有する請求項１に記載の灯具。
【請求項３】
前記カバーは、
前記発光素子を挟んで、前記光軸に沿う向きの外壁部となる一組の並行部を有する請求項１または請求項２に記載の灯具。
【請求項４】
前記カバーは、
前記並行部における前記外面部の法線方向に張り出すように形成されたリブを有する請求項３に記載の灯具。
【請求項５】
前記カバーは、
前記発光素子によって照射側において、一組の前記並行部の端部どうしを繋ぐ外壁部となる第１接続部を有する請求項３または請求項４に記載の灯具。
【請求項６】
発光による照射を行う灯具と、
前記灯具が装着される装着部を有する照明器具と
を備え、
前記灯具は、
光源となる発光素子と、
該発光素子を覆い、前記照明器具に装着された状態において外部に露出した部分の外面部に対する法線の向きが、前記発光素子の光軸に沿う向きから前記光軸に直交する向きまでの範囲内となる外周部を有する、透光性を有するカバーと
を備えた照明装置。
【請求項７】
照明器具に装着される灯具が有する発光素子を覆うカバーであって、
前記照明器具に装着された状態において外部に露出した部分の外面部に対する法線の向きが、前記発光素子の光軸に沿う向きから前記光軸に直交する向きまでの範囲内となる外周部を有する灯具用のカバー。
【請求項８】
前記カバーは、筒形状である請求項７に記載の灯具用のカバー。
【発明の詳細な説明】
【技術分野】
【０００１】
本発明は、灯具、照明装置および灯具用のカバーに関するものである。特に、照明器具の器具本体と着脱可能な構成の灯具などに係るものである。
【背景技術】
【０００２】
照明装置において、光源となる発光素子を保護するため、カバーで覆うことがある。このとき、筒形のカバーなどにより密閉した密閉構造を有する灯具を備える照明装置が提案されている（たとえば、特許文献１および特許文献２参照）。
【先行技術文献】
【特許文献】
【０００３】
【特許文献１】特開２０１５−１４６２６４号公報
【特許文献２】特開２０１６−０５８２６６号公報
【発明の概要】
【発明が解決しようとする課題】
【０００４】
しかしながら、外殻部であるカバーの形状によっては、カバーの外表面部分に、埃、汚れなどが溜まりやすくなる。
【０００５】
本発明は、上記の課題を鑑みてなされたものであり、本発明は、埃、汚れなどが溜まりにくいカバー、灯具および照明装置を提供することを目的とする。
【課題を解決するための手段】
【０００６】
本発明に係る灯具は、照明器具に装着される灯具であって、光源となる発光素子と、発光素子を覆い、照明器具に装着された状態において外部に露出した部分の外面部に対する法線の向きが、発光素子の光軸に沿う向きから光軸に直交する向きまでの範囲内となる外壁部を有する、透光性を有するカバーとを備えたものである。
【発明の効果】
【０００７】
本発明によれば、カバーの外周部は、外部に露出した部分の外面部に対する法線の向きが、発光素子の光軸に沿う向きから光軸に直交する向きまでの範囲内となっているので、埃などが留まりにくい形状となり、埃、汚れなどが溜まりにくくなる。
【図面の簡単な説明】
【０００８】
【図１】本発明の実施の形態に係る照明装置１の斜視図である。
【図２】本発明の実施の形態に係る照明装置１の照明器具２と灯具３とを分割した分割斜視図である。
【図３】本発明の実施の形態に係る灯具３の斜視図である。
【図４】本発明の実施の形態に係る灯具３の端部における分解斜視図である。
【図５】本発明の実施の形態に係る照明装置１の断面図である。
【図６】本発明の実施の形態に係る透光性カバー３０に係る効果を説明する図（その１）である。
【図７】本発明の実施の形態に係る透光性カバー３０に係る効果を説明する図（その２）である。
【図８】本発明の実施の形態における変形例１として示す照明装置１ａについて説明する図である。
【図９】本発明の実施の形態における変形例２として示す照明装置１ｂについて説明する図である。
【図１０】本発明の実施の形態における変形例３として示す照明装置１ｃについて説明する図である。
【図１１】本発明の実施の形態における変形例４として示す照明装置１ｄについて説明する図である。
【発明を実施するための形態】
【０００９】
以下、本発明の実施の形態に係る灯具、照明装置および灯具用のカバーについて、図面を参照して説明する。各図において同じまたは対応する構成要素には、同じ符号を付し、説明の繰り返しを省略する場合がある。
【００１０】
ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品などの配置、方向および向きを限定するものではない。
【００１１】
実施の形態．
＜照明装置１の構成＞
図１から図５を参照して、実施の形態に係る照明装置１の構成を説明する。
【００１２】
図１は、本発明の実施の形態に係る照明装置１の斜視図である。図２は、本発明の実施の形態に係る照明装置１の照明器具２と灯具３とを分割した分割斜視図である。図３は、本発明の実施の形態に係る灯具３の斜視図である。図４は、本発明の実施の形態に係る灯具３の端部における分解斜視図である。図５は、本発明の実施の形態に係る照明装置１の断面図である。
【００１３】
以下の説明において、照明装置１の長手方向に沿った方向を長手方向Ｘとする。また、長手方向Ｘに直交し、長手方向Ｘに対する短手方向を短手方向Ｙとする。そして、長手方向Ｘおよび短手方向Ｙのいずれとも直交する方向を上下方向Ｚとする。また、長手方向Ｘにおいて、長手端部側への向きを、端向きＸ１とする。そして、端向きＸ１と反対側への向きであり、長手中央側への向きを中向きＸ２とする。さらに、上下方向Ｚにおいて、照明装置１が取り付けられる造営部９側（すなわち、天井、壁などの被取付部側）への向きを上向きＺ１とする。そして、上向きＺ１と反対側への向きであり照明装置１から光が照射される照射空間側への向きを下向きＺ２とする。ここで、上向きＺ１は、灯具３が照明器具２に取り付けられる向きであり、下向きＺ２は、灯具３が照明器具２から取り外される向きである。
【００１４】
本実施の形態における照明装置１は、後述する天井、壁などの造営部９に取り付けられる照明器具２と照明器具２に装着される灯具３によって構成される。本実施の形態では、いわゆるトラフタイプの照明器具２を例として示す。照明器具２を構成する器具本体２０は、実施の形態１では、金属製の板材を折り曲げて形成される。器具本体２０は、器具底面部２１、２つで一組となる器具側面部２２および器具端部２３を有している。また、器具端部２３には、ノックアウト２４が形成され、後述する電線（図示せず）などを挿通する際に取り外される。照明器具２の構成などについて、さらに説明する。
【００１５】
装着部２５は、（収容部、凹部）は、装着された灯具３の一部を収容する。装着部２５は、器具本体２０の器具底面部２１、一組の器具側面部２２および器具端部２３により形成される。このため、装着部２５は空間を有する。ここで、装着部２５が収容する灯具３の一部は、照射側ではない非照射部となる。また、器具本体２０の下端に位置する開口端部２６は、器具本体２０に囲まれていない開口部分である。開口端部２６は、照明器具２の装着部２５に対して、灯具３の着脱を行う際の装着口となる。連結部２７には、灯具３が取り付けられる。本実施の形態では、連結部２７は、器具端部２３と一体に形成されている。開口端部２６から長手方向Ｘにおける中向きＸ２に向って、折り曲げて形成されている。ネジ孔２８は、灯具３に取り付けられた、後述する連結ネジ４８がねじ止めされる孔である。連結ネジ４８がねじ止めされ、灯具３が照明器具２に装着される。
【００１６】
照明具および光源ユニットとなる灯具３は、照明器具２に装着されて使用される。本実施の形態では、長手方向Ｘにおける両端部に取り付けられた連結ネジ４８によって照明器具２の連結部２７に装着される。実施の形態１の灯具３は、主として、透光性カバー３０、発光部６０などを有している。
【００１７】
透光性カバー３０は、少なくとも可視光を透過する透光性の材料が用いられ、後述する取付部材５０、発光部６０、点灯装置（図示せず）などを内部の空間に収容し、保護する、筒形状の外殻部である。透光性カバー３０は、ガラス、ポリカーボネイト、アクリルなどの樹脂材料を用いて形成することができる。また、透光性カバー３０において、装着部２５から外部に露出している部分は外観意匠部分にもなる。本実施の形態の透光性カバー３０は、押出成形によって筒形部材を、製品の仕様などに応じて必要な長さに切断することで、製造することができる。
【００１８】
本実施の形態では、透光性カバー３０のうち、装着部２５から外部に露出している部分は、後述する発光部６０の照射側および台座５１の表面を覆う外殻部（外壁部）になる。ここで、この部分の外周部３７については、外面部に対する法線の向きが、後述する発光素子６１の光軸Ｌに沿う向きから光軸Ｌに直交する向きまでの範囲内となっている。たとえば、下方に向けて光が照射されるように照明器具２に装着された灯具３において、透光性カバー３０の装着部２５から外部に露出している部分は、外面部が下方、斜め下方、あるいは側方（水平方向外側）に向いており、上方、あるいは斜め上方に向いていない。また、透光性カバー３０のうち、装着部２５に収容され、外部に露出していない部分は、点灯装置（図示せず）の器具側、台座５１における取付面部５２の裏面側を覆う外殻部（外壁部）になる。ここで、透光性カバー３０について、製品の仕様などに応じて、光拡散性、波長弁別性などを有するものであってもよい。また、透光性カバー３０のうち、外部に露出していない部分については、反射性、遮光性などを有する材料を用いて形成してもよい。
【００１９】
本実施の形態の筒形の透光性カバー３０は、内部に収容される機器を覆い、内部に収容される機器に対する位置によって、一組の並行部３１、第１接続部３２および第２接続部３３に分かれている。また、２つのリブ３４が設けられている。一組の並行部３１は、透光性カバー３０において、一組の面が同じ距離で並行する面を有している。本実施の形態では、一組の並行部３１の外側の面部分となる外面部および内側の面部分となる内面部は、それぞれ、ともに平面形状である。一組の外面部および内面部は、透光性カバー３０に収容される発光素子６１の光軸Ｌに沿った平面であり、外殻部（外壁部）の外表面となっている。本実施の形態では、この平面は、灯具３が照明器具２に装着された状態で、上下方向Ｚに沿っている。さらに、この平面は、一組の外面部および内面部は、灯具３が照明器具２に装着された状態で、それぞれ対向する器具側面部２２に沿った平面でもある。そして、灯具３が照明器具２に取り付けられるまたは取り外される向きに沿った平面にもなる。このため、透光性カバー３０の並行部３１は、短手方向Ｙにおいて、器具側面部２２より外側にはならず、器具側面部２２の内側に位置する。並行部３１のうち、灯具３が照明器具２に装着されたときに露出している部分は、灯具３の側方における照射部となる。
【００２０】
第１接続部３２は、一組の並行部３１における照射側の端部どうしを繋いでいる部分であり、後述する発光素子６１の光軸Ｌと交わり、灯具３の主たる照射部となる。第１接続部３２は、発光素子６１からの光を下方に向けて照射する。第１接続部３２の外面部および内面部は、１または複数の面で構成されている。図５に示すように、本実施の形態では、透光性カバー３０における第１接続部３２の外面部および内面部が、１つの曲面で構成されている場合について説明する。ここで、第１接続部３２の外面部および内面部が、複数の面で構成される場合は、複数の異なる曲率の複数の曲面、複数の異なる角度の複数の平面、これらの曲面と平面とを組み合せて構成することができる。第２接続部３３は、一組の並行部３１における器具側の端部どうしを繋いでいる部分であり、灯具３が照明器具２に装着された状態において、装着部２５に収容される部分である。本実施の形態では、透光性カバー３０における第２接続部３３の外面部および内面部は、１つの曲面で構成されている場合について説明する。ここで、第２接続部３３の外面部および内面部が、複数の面で構成される場合は、複数の異なる曲率の複数の曲面、複数の異なる角度の複数の平面、これらの曲面と平面とを組み合せて構成することができる。
【００２１】
リブ３４は、透光性カバー３０の外面部の法線方向に張り出すように設けられる。本実施の形態では、リブ３４は、各並行部３１において、外側に向って張り出すように設けられている。そして、各リブ３４は、並行部３１と一体形成される。各リブ３４は、透光性カバー３０の長手方向Ｘに延設されている。リブ３４は、灯具３が照明器具２に装着された状態で、器具側面部２２における開口端部２６付近と対向するような位置に形成される。
【００２２】
カバー端部３５は、透光性カバー３０の両端部分である。嵌合部３６は、カバー端部３５において端部カバー４０が嵌合される部分である。端部カバー４０と嵌合できるように、嵌合部３６の外面部はリブ３４を有していない。前述したように、押出成形によって押出した筒形部材を切断して透光性カバー３０を製造する場合には、長手方向Ｘに延設されたリブ３４のうち、嵌合部３６に対応する部分を削除する。外周部３７は、一組の並行部３１、第１接続部３２および第２接続部３３となる外殻部（外壁部）の外面側である。また、内周部３８は、一組の並行部３１、第１接続部３２および第２接続部３３となる外殻部（外壁部）の内面側である。
【００２３】
端部カバー４０は、透光性カバー３０の長手方向Ｘにおける両端部に取り付けられる。端部カバー４０は、封止具４３を挟んで嵌着（嵌合）することによって、透光性カバー３０を密閉構造とする。ここで、端部カバー４０に取り付けられる取付部材５０および透光性カバー３０は、照明装置１の使用環境温度、灯具３の点灯時と消灯時とにおける温度の変化に対し、特に、長手方向Ｘにおける伸縮量が異なる。端部カバー４０は、透光性カバー３０の密閉を維持しながら、透光性カバー３０および取付部材５０の長手方向Ｘにおける端部どうしが、相互に移動可能となるような構造となっている。端部カバー４０は、外カバーとなる第１端部カバー４１と内カバーとなる第２端部カバー４２とを有している。第１端部カバー４１は、第１カバー主部４１０、第１カバー貫通孔４１１および４１５、第１カバー係合孔４１２、第１カバー周部４１４、第１カバー電線保持部４１６、第１カバー端面部４１７、第１カバー排水孔４１８並びに第１カバー蓋４１９を有している。また、第２端部カバー４２は、第２カバー主部４２０、第２カバー貫通孔４２１、第２カバー係合片４２２および第２カバー周部４２５を有している。ここで、本実施の形態の第１端部カバー４１および第２端部カバー４２は、樹脂材料を用いて形成されているものとして説明する。ただし、これに限定するものではない。樹脂材料以外の金属材料、セラミック材料などを用いて形成されてもよい。また、本実施の形態では、第１端部カバー４１と第２端部カバー４２と別部材とし、嵌着（嵌合）して一体化するようにしているが、あらかじめ一体化された１つの部材として成形するようにしてもよい。
【００２４】
パッキンなどのシール部材となる封止具４３は、透光性カバー３０の長手方向Ｘにおける両端部と端部カバー４０との間に挟まれた状態で、透光性カバー３０の長手方向Ｘにおける両端部を密閉する。封止具４３は、樹脂材料を用いて弾性変形するように形成されて、透光性カバー３０および端部カバー４０に密着する。封止具主部４３０は、後述する内周部４３５の内側を塞ぐように形成される。封止具主部４３０は、固定具５４の固定部５６と第２端部カバー４２の第２カバー主部４２０とに挟まれる。電線挿通部４３１は、電線（図示せず）を通過させる電線挿通孔４３２を有している。また、ネジ挿通部４３３は、ボス部５７を被覆する。ネジ挿通部４３３の先端には、固定ネジ７５をネジ止めするネジ挿通孔４３４を有している。内周部４３５は、第２端部カバー４２の第２カバー周部４２５と透光性カバー３０の内周部３８とに挟まれる部分である。また、連結部４３６は、第２端部カバー４２の第２カバー主部４２０と透光性カバー３０のカバー端部３５とに挟まれる部分である。そして、外周部４３７は、第１端部カバー４１の第１カバー周部４１４と透光性カバー３０の外周部３７とに挟まれる部分である。
【００２５】
連結具４４は、灯具３の長手方向Ｘの両端部に備えており、灯具３を照明器具２に取り付けるための取付金具ある。本実施の形態では、連結具４４は、金属製の板材を折り曲げて形成されているものとする。ただし、これに限定するものではなく、押出成形など、他の方法で形成されてもよい。連結部４５は、照明器具２の連結部２７に当接する。連結部４５の断差部４５０には、連結ネジ挿通孔４５１を通過した連結ネジ４８を固定する抜け止めワッシャー４９が配置される。断差部４５０の断差寸法は抜け止めワッシャー４９の厚さ寸法と同じである。固定部４６は、ボス部５７が取り付けられる。固定部４６は、端部カバー４０と封止具４３を、取付部材５０の固定具５４とともに挟持する。固定部４６は、固定ネジ７５をネジ止めする固定ネジ挿通孔４６０を有している。また、係合部４７は、電線（図示せず）を通過させる電線挿通孔４７０を有している。また、第１カバー電線保持部４１６と係合する係合片４７１を有している。
【００２６】
取付部材５０は、発光部６０、点灯装置（図示せず）などを透光性カバー３０内の空間に固定させる部材である。このため、取付部材５０は、透光性カバー３０に収容される。そして、取付部材５０は、後述する固定ネジ７５によって、端部カバー４０および連結具４４に固定される。したがって、取付部材５０は、透光性カバー３０には直接固定されていないが、透光性カバー３０の長手方向Ｘにおける両側のカバー端部３５に嵌合（嵌着）している端部カバー４０を介して繋がっている。
【００２７】
台座５１は、取付部材５０の主たる部分であり、発光部６０、点灯装置（図示せず）などが取り付けられる。本実施の形態では、台座５１は、金属製の板材を折り曲げて形成されているものとする。ただし、これに限定するものではなく、押出成形など、他の方法で形成されてもよい。また、図示などは特にしていないが、放熱効率（熱放射率）、光の利用効率（反射率）などを向上させるために、表面処理、機能部材の敷設などを台座５１に行うようにしてもよい。台座５１の取付面部５２において、照射側の面である表面には、発光部６０が取り付けられる。また、器具側の面である裏面には、点灯装置（図示せず）などが取り付けられる。側部５３は、取付面部５２の短手方向Ｙの両端部分から照射側に折り曲げられた立設部分である。側部５３は、台座５１の剛性を向上させる。本実施の形態では、側部５３は、照射側だけに立設させているが、照射側および器具側の両方に立設させるようにしてもよい。また、本実施の形態では、側部５３は、取付面部５２の短手方向Ｙの両端部分に立設させているが、たとえば、取付面部５２の短手方向Ｙにおける中央部分など、両端部分以外の位置に立設させてもよい。
【００２８】
固定具５４は、台座５１の長手方向Ｘの両端部分に備えており、透光性カバー３０の両端部に取り付けられた端部カバー４０および連結具４４に取付部材５０を固定する金具である。ここで、本実施の形態では、固定具５４は台座５１と別部材で構成しているが、これに限定するものではない。たとえば、台座５１の両端部分を折り曲げるなどして、台座５１が固定具５４と同じ機能をもつ部分を有するようにしてもよい。固定具５４は、取付ネジ（図示せず）などの固定部材を用いて取り付けてもよい。固定具５４は、取付部５５および固定部５６を有している。取付部５５は、固定具５４を台座５１に取り付ける部分である。取付部５５は、カシメ、溶着（溶接）、嵌着（係着）などの方法で台座５１と構造的に一体化される。固定部５６は、ボス部５７が取り付けられている。固定部５６は、連結具４４の固定部４６とともに端部カバー４０と封止具４３とを挟持する。ボス部５７には、固定ネジ７５がねじこまれるネジ孔５８が形成されている。ネジ孔５８の内周側には、ネジ溝が形成されている。そして、連結具４４の外側から、連結具４４の固定ネジ挿通孔４６０、第２端部カバー４２の第２カバー貫通孔４２１、第１端部カバー４１の第１カバー貫通孔４１１および封止具４３のネジ挿通孔４３４が、固定ネジ７５により、ネジ止めされる。
【００２９】
発光部６０は、発光素子６１、基板６２などを有している。発光素子６１は、電力供給により発光する。本実施の形態では、発光素子６１に、発光ダイオード（Ｌｉｇｈｔ  Ｅｍｉｔｔｉｎｇ  Ｄｉｏｄｅ；以下、ＬＥＤと称す）素子を用いる。そして、本実施の形態の発光素子６１は、波長が４４０〜４８０〔ｎｍ〕の青色光を出射するＬＥＤチップ上に、青色光を黄色光に波長変換する蛍光体を配してパッケージ化された面実装部品である疑似白色ＬＥＤ素子である。ここで、発光素子６１が出射する光は、光束値が最大であり、発光面に垂直な光軸Ｌに対して、対称に照射角αだけ広がる。本実施の形態では、発光素子６１の照射角αは、１２０度であるものとする。発光素子６１は、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）、無機ＥＬなどを用いてもよい。基板６２は、ガラス−エポキシ基板（ＦＲ−４）、ガラス−コンポジット基板（ＣＥＭ−３）、紙エポキシ基板（ＦＲ−３）、紙フェノール基板（ＸＰＣ）、金属ベース基板などが用いられる。
【００３０】
発光部６０は、他にも、発光素子６１の電源となる点灯装置（図示せず）を有している。点灯装置は、外部から供給される電力から発光素子６１を点灯させる電力に変換して、発光素子６１に供給する。本実施の形態では、点灯装置は、前述したように、台座５１の裏面に、ネジ（図示せず）などの固定部材を用いて取り付けられた状態で、発光素子６１などとともに筒状の透光性カバー３０に収容されている。ただし、点灯装置は、灯具３ではなく、照明器具２に取り付けられてもよい。この場合、後述する電線（図示せず）は、点灯装置から発光素子６１に供給される電力の供給経路として機能する給電線となる。
【００３１】
本実施の形態における電線（図示せず）は、一端は点灯装置（図示せず）に接続される。そして、他端は、照明器具２に取り付けられている端子台（図示せず）に接続される。外部電源から電力の供給を受ける受電経路として機能する電源線となる。固定ネジ７５は、連結具４４、端部カバー４０、および封止具４３および取付部材５０の固定具５４を固定するネジである。
【００３２】
＜作用効果＞
図６および図７は、本発明の実施の形態に係る透光性カバー３０に係る効果を説明する図である。以上のような構成による本実施の形態の照明装置１において、灯具３に、上述した透光性カバー３０を用いることで、次のような効果を奏する。
【００３３】
本実施の形態の灯具３における透光性カバー３０には、外面部および内面部が同じ距離で並行する一組の並行部３１を有している。また、一組の並行部３１のうち、灯具３が照明器具２に装着された状態で露出している部分は、灯具３の側方（水平方向外側）に向いている。そして、一組の並行部３１における照射側の端部どうしは第１接続部３２によって繋がっている。このように、透光性カバー３０のうち、灯具３が照明器具２に装着された状態において露出している部分は、短手方向Ｙに膨出しておらず、側方から下方のいずれかの方向に向いている。したがって、透光性カバー３０の並行部３１において、上方あるいは斜め上方に向いた面が存在しない。
【００３４】
このため、透光性カバー３０のうち、灯具３が照明器具２に装着された状態において露出している部分に、たとえば、図６に示す矢印Ｄ１の向きに埃などが運ばれた場合でも、図６の矢印Ｄ２で示すように、下方に流れ落ちる。したがって、透光性カバー３０の外周部３７には、埃などが溜まらない。このため、透光性カバー３０は清潔に保たれ、また、透光性が保たれる。つまり、灯具３は意匠性が損なわれることがなく、また、光の利用効率が維持されるので、灯具３から照射される光量（光束値）、配光といった光学性能が維持される。
【００３５】
また、本実施の形態の灯具３では、透光性カバー３０のうち、灯具３が照明器具２に装着された状態で露出している部分は、短手方向Ｙの外側（側方）に膨出していない。このため、図６の矢印Ｗに示すように、側方から受ける風を、外周部３７に沿って、スムーズに迂回させることができる。すなわち、透光性カバー３０において露出している部分は、空気抵抗が小さい形状となっている。このため、風圧の影響を受けにくく、照明装置１は風による揺れが発生しにくくなる。つまり、強い風に晒される屋外などであっても、照明装置１は、灯具３が照明器具２から外れたり、照明器具２が造営部９から外れたりするおそれがない。また、照明装置１から照射空間に対して安定して光が照射される。
【００３６】
また、本実施の形態では、透光性カバー３０の対向する並行部３１の外側に向って張り出すように、一体形成された一組のリブ３４が長手方向Ｘに延設されている。このため、透光性カバー３０の剛性を向上させることができ、灯具３の反り、撓み、捩れなどの変形を抑制することができる。
【００３７】
また、一組のリブ３４は、照明器具２の装着部２５において、短手方向Ｙにおける中心部分に灯具３が装着されるように案内する。このため、リブ３４により、照明器具２との関係において、灯具３の位置決め（センタリング）を行うことができる。
【００３８】
そして、リブ３４は、灯具３が照明器具２に装着された状態で、器具側面部２２における開口端部２６付近と（下端部）対向するような位置に形成されている。このため、装着部２５に埃などが入り込むことを抑制することができる。そして、図６に示すように、透光性カバー３０の第２接続部３３の下方（矢印Ｐ）に流下する埃などは、リブ３４によってできるＳ部に留まり、リブ３４より下側の、透光性カバー３０が露出している部分に落ちることを抑えることができる。
【００３９】
さらに、図６および図７に示すように、リブ３４によって、灯具３と照明器具２との隙間を目立たなくすることができる。また、隙間が残ったとしても、隙間の位置は、偏りなくバランスされるので、点灯時および消灯時のいずれの場合でも、照明装置１の意匠性を向上させることができる。
【００４０】
＜変形例＞
上述した灯具３は、上述した照明器具２と灯具３との組み合わせによる照明装置１以外のさまざまな照明装置１に適用することができる。次に、図８〜図１１を参照して、装置の変形例について説明する。
【００４１】
＜変形例１＞
図８は、本発明の実施の形態における変形例１として示す照明装置１ａについて説明する図である。図８（ａ）は、図５に対応して、照明装置１ａを長手方向Ｘに見た照明器具２ａおよび灯具３の形状を説明する図である。また、図８（ｂ）は、上下方向ＺのＺ１方向に見た照明装置１ａの一部を示す斜視図である。そして、図８（ｃ）は、別の角度から見た照明装置１ａの一部を示す斜視図である。
【００４２】
図８に示すように、変形例１の照明器具２ａは、造営部９の方向に向かう光の一部を反射させ、拡散させる傾斜部２００ａが形成された器具本体２０ａを有している。変形例１として、図８に示す照明装置１ａにおいても、上述した灯具３を用いることができ、同様の効果を奏する。
【００４３】
＜変形例２＞
図９は、本発明の実施の形態における変形例２として示す照明装置１ｂについて説明する図である。図９（ａ）は、図５に対応して、照明装置１ｂを長手方向Ｘに見た照明器具２ｂおよび灯具３の形状を説明する図である。また、図９（ｂ）は、上下方向ＺのＺ１方向に見た照明装置１ｂの一部を示す斜視図である。そして、図９（ｃ）は、別の角度から見た照明装置１ｂの一部を示す斜視図である。
【００４４】
図９に示す変形例２の照明器具２ｂは、図８に示す変形例１の照明器具２ａに形成された傾斜部２００ａよりも広い、傾斜部２００ｂが形成された器具本体２０ｂを有している。変形例２として、図９に示す照明装置１ｂにおいても、上述した灯具３を用いることができ、同様の効果を奏する。
【００４５】
＜変形例３＞
図１０は、本発明の実施の形態における変形例３として示す照明装置１ｃについて説明する図である。図１０（ａ）は、図５に対応して、照明装置１ｃを長手方向Ｘに見た照明器具２ｃおよび灯具３の形状を説明する図である。また、図１０（ｂ）は、上下方向ＺのＺ１方向に見た照明装置１ｃの一部を示す斜視図である。そして、図１０（ｃ）は、別の角度から見た照明装置１ｃの一部を示す斜視図である。
【００４６】
図１０に示すように、変形例３の照明器具２ｃは、造営部９の方向に向かう光の一部を反射させる笠部２９が形成された器具本体２０ｃを有している。笠部２９は、器具側面部２２が折り曲げられて一体形成されている。変形例３では、一組の器具側面部２２に、それぞれ笠部２９が形成されている。変形例３として、図１０に示す照明装置１ｃにおいても、上述した灯具３を用いることができ、同様の効果を奏する。
【００４７】
＜変形例４＞
図１１は、本発明の実施の形態における変形例４として示す照明装置１ｄについて説明する図である。図１１（ａ）は、図５に対応して、照明装置１ｄを長手方向Ｘに見た照明器具２ｄおよび灯具３の形状を説明する図である。また、図１１（ｂ）は、上下方向ＺのＺ１方向に見た照明装置１ｄの一部を示す斜視図である。そして、図１１（ｃ）は、別の角度から見た照明装置１ｄの一部を示す斜視図である。
【００４８】
図１１に示すように、変形例４の照明器具２ｃは、造営部９の方向に向かう光の一部を反射させる笠部２９ｄが、一組の器具側面部２２の一方に取り付けられた器具本体２０ｄを有している。変形例４として、図１１に示す照明装置１ｄにおいても、上述した灯具３を用いることができ、同様の効果を奏する。
【符号の説明】
【００４９】
１，１ａ，１ｂ，１ｃ，１ｄ  照明装置、２，２ａ，２ｂ，２ｃ，２ｄ  照明器具、３  灯具、９  造営部、２０，２０ａ，２０ｂ，２０ｃ，２０ｄ  器具本体、２１  器具底面部、２２  器具側面部、２３  器具端部、２４  ノックアウト、２５  装着部、２６  開口端部、２７  連結部、２８  ネジ孔、２９，２９ｄ  笠部、３０  透光性カバー、３１  並行部、３２  第１接続部、３３  第２接続部、３４  リブ、３５  カバー端部、３６  嵌合部、３７  外周部、３８  内周部、４０  端部カバー、４１  第１端部カバー、４２  第２端部カバー、４３  封止具、４４  連結具、４５  連結部、４６  固定部、４７  係合部、４８  連結ネジ、４９  抜け止めワッシャー、５０  取付部材、５１  台座、５２  取付面部、５３  側部、５４  固定具、５５  取付部、５６  固定部、５７  ボス部、５８  ネジ孔、６０  発光部、６１  発光素子、６２  基板、７５  固定ネジ、２００ａ，２００ｂ  傾斜部、４１０  第１カバー主部、４１１，４１５  第１カバー貫通孔、４１２  第１カバー係合孔、４１４  第１カバー周部、４１６  第１カバー電線保持部、４１７  第１カバー端面部、４１８  第１カバー排水孔、４１９  第１カバー蓋、４２０  第２カバー主部、４２１  第２カバー貫通孔、４２２  第２カバー係合片、４２５  第２カバー周部、４３０  封止具主部、４３１  電線挿通部、４３２  電線挿通孔、４３３  ネジ挿通部、４３４  ネジ挿通孔、４３５  内周部、４３６  連結部、４３７  外周部、４５０  断差部、４５１  連結ネジ挿通孔、４６０  固定ネジ挿通孔、４７０  電線挿通孔、４７１  係合片。
【図１】
2019192541.tif 000003
【図２】
2019192541.tif 000004
【図３】
2019192541.tif 000005
【図４】
2019192541.tif 000006
【図５】
2019192541.tif 000007
【図６】
2019192541.tif 000008
【図７】
2019192541.tif 000009
【図８】
2019192541.tif 000010
【図９】
2019192541.tif 000011
【図１０】
2019192541.tif 000012
【図１１】
2019192541.tif 000013